(57)【要約】【課題】使用後はごみ袋として捨てられてしまう袋を簡単に再利用できるようにすることを目的する。【解決手段】袋本体１の左右端部を内折りのマチ部２とし、マチ部２の上端延長部分を輪状の手提げ部３としている買い物袋Ａである。マチ部２に平行に設けられた折り畳み線７に沿って折り畳まれた状態の袋本体１の底部４を折り畳まれた状態のまま融着する。袋本体１の底部４は折り畳まれた状態で融着されているため、折り畳まれた底部４と、重ね合わされた手提げ部３を手に持って引っ張れば自然に元通り折り畳むことができる。【選択図】図１
2013241202.tif 000002
【特許請求の範囲】
【請求項１】
袋本体の左右端部を内折りのマチ部とし、マチ部の上端延長部分を輪状の手提げ部とする袋であって、
マチ部に平行に設けられた折り畳み線に沿って折り畳まれた状態の袋本体の底部を折り畳まれた状態のまま融着してなることを特徴する袋。
【発明の詳細な説明】
【技術分野】
【０００１】
本発明は、収納容量が大であるにも拘わらず、使用後において、小さく折り畳みやすくてポケットに簡単に収納でき、再利用が容易な樹脂製の袋に関する。
【背景技術】
【０００２】
樹脂（一般的にはポリエチレン）製で折り畳み可能な買い物袋については、例えば、特許文献１に示すようなものがある。即ち、左右端は内折りのマチとしてその上端延長を輪状の手提げ部とし、左右の手提げ部の中央部に前後面を延接している凸片を形成した買い物袋である。
【０００３】
この買い物袋は、広げた状態で底部が全長に亙って融着されており、両側の手提げ部並びにこれに続くマチ部分とマチ部分間の中央部分との境界の縦線を折り畳み線として折り畳むようにしている。折り畳まれた買い物袋は多数枚ケースに収納されており、例えば、スーパーマーケットのレジカウンターでケースから１枚ずつ引き出され、買い物客に手渡される。この買い物袋を受け取った買い物客は、袋の口を開き、買った商品を収納し、自宅に持ち帰る。
【先行技術文献】
【特許文献】
【０００４】
【特許文献１】特開２００６−１０３７９０
【発明の開示】
【発明が解決しようとする課題】
【０００５】
このようにして、買い物客の手に渡った買い物袋は、生活必需品として買い物には欠く事の出来ないものでありながら、商品が取り出されるともはやゴミとなり、買い物袋として再利用されることなくそのまま捨てられてしまうか、ごみ袋として用いられるだけでごみと共に捨てられてしまう。それ故、省資源の観点から昨今はマイバッグが奨励されている処、通常の買い物の形態を参照するに、食料品や日用品の買い物のほか、衝動買いが多々見られる。このような場合には、マイバッグの準備がなく、新しい袋に商品を詰め込む仕儀となる。
【０００６】
レジ袋は安価で軽くて強度も十分で高い利便性を有するものの、使用済みのレジ袋を仮に、買い物袋として再利用しようとしても、大量の商品が収容された後では、レジ袋は全体的に伸び切って折り畳み線が消えており、元通りに折り畳むことが容易ではなく嵩張る。それ故、殆んどの場合は前述のようにごみ袋として廃棄されることになる。
【０００７】
本発明は使用後はごみ袋として捨てられてしまうこのような買い物袋をワンタッチで折り畳めるようにして簡単にマイバッグとして再利用できるようにすることを目的するものである。
【課題を解決するための手段】
【０００８】
上記の問題を解決するため、本発明は、袋本体１の左右端部を内折りのマチ部２とし、マチ部２の上端延長部分を輪状の手提げ部３とする袋Ａであって、
マチ部２に平行に設けられた折り畳み線７に沿って折り畳まれた状態の袋本体１の底部４を折り畳まれた状態のまま融着してなることを特徴する。
【発明の効果】
【０００９】
これによれば、折り畳まれた状態で袋本体１の底部４が融着されているので、袋Ａに商品５を詰め込んだ時、袋本体１の底部４は巾着絞り状態となって袋本体１の中央部分６が大きく膨らみ、大量の商品５を収納することができる。これを持ち帰り、商品５を取り出すと、袋本体１は伸びて折り畳み線７は消えているが、袋本体１の底部４は折り畳まれた状態で融着されているため、折り畳まれた底部４と、重ね合わされた手提げ部３を手に持って引っ張れば自然に元通り折り畳むことができる。これにより、例えばこの袋Ａを更に小さく折り畳んで服のポケットに収納して持ち歩けば、次回の買い物の時にこの袋Ａを買い物袋として再利用することができる。
【図面の簡単な説明】
【００１０】
【図１】本発明の袋の使用状態を示す斜視図である。
【図２】本発明の袋を折り畳んだ状態の正面図である。
【図３】本発明の袋の製造途中の部分斜視図である。
【図４】本発明の袋の溶断時の中間部分を省略した斜視図である。
【図５】本発明の袋の折り畳み途中の断面図である。
【図６】本発明の袋を折り畳んだ状態の断面図である。
【発明を実施するための形態】
【００１１】
本発明を以下図示実施例に従って説明する。袋Ａに用いられる樹脂素材は、例えば高密度ポリエチレン（ＨＤＰＥ）の連続した薄膜筒状のフィルムで、この左右両端を内折りしてマチ部２を形成し、さらに平坦状に潰した二重のフィルムＢである。この二重のフィルムＢを図３のように手提げ部３となる部分を打ち抜き、さらに打ち抜いた二重のフィルムＢの手提げ部３となる部分３ｍの中間部分及び該打ち抜き部分３ｕの中間で袋Ａの底部４となる部分４Ｔを溶断して図４に示す袋Ａの半製品Ｃとする。溶断線を３ａ，４ａで示す。また、打ち抜き状態で、手提げ部３の間には手提げ部３に平行に舌片９が袋本体１から一体的に延出している。
【００１２】
次に、この半製品Ｃを展開状態で手提げ部３の溶断線３ａの直下において、一定の間隔を明けて表裏一体となるように線状に融着する。この融着線を３ｂで示す。同時に手提げ部３の溶断線３ａと融着線３ｂの間に孔３ｃを溶断にて打ち抜く。融着線３ｂの部分では重なり合った部分全体が一体的に融着している。
【００１３】
続いて、例えばマチ部２に沿って等間隔に平行に設けた複数本（本実施例ではマチ部２に沿った線及び中央の縦線の三本であるが、勿論、これに限られない。）の折り畳み線７で折り畳み、その折り畳み状態で袋Ａの底部４の溶断線４ａの直上にて一定の間隔を明け、重なり合った部分全体において、線状に融着する。この融着線を８ｂで示す。融着線８ｂの部分では重なり合った部分全体が線状にて一体的に融着している。最後に底部４の溶断線４ａと融着線８ｂとの間に孔８ｃを溶断にて打ち抜く。孔３ｃ、８ｃの縁３ｄ、８ｄは融着されている。
【００１４】
前記折り畳み方法の一例を図５，６に示す。この場合、一方のマチ部２ａに沿った折り畳み線７ａから当該マチ部２ａを内側に折り、反対側のマチ部２ｂに沿った折り畳み線７ｂから当該マチ部２ｂを外側に折り、内側に折り畳まれた一方のマチ部２ａを内側に巻き込むように中央の折り畳み線７ｃを折り曲げ、図６に示すように、一方のマチ部２が内側に、他方のマチ部２ｂが外側に来るように折り畳む。これにより袋Ａは縦に四つ折りにされて折り畳まれることになる。そして一方のマチ部２ａと、これに向かい合う袋本体１の面との間でセパレートされる。このセパレートされた隙間を１０ａとする。袋Ａの折り方は上記方法にとどまらず、他方のマチ部２ｂも内側に巻き込むように折り込んでもよいし、両方のマチ部２ａ，２ｂが外側になるように折ってもよい。また、折り畳みの数は、４に限られず、袋Ａの幅に合わせて二つ折り、三つ折りそれ以上としてもよいことは言うまでもない。ただ、あまり細く折り畳むと広げた時の容量が小さくなる。なお、両マチ部２ａ，２ｂを外側に折り畳むと広げた時に両マチ部２ａ，２ｂが外側になるため、容量の減少が小さくなるので、この折り方が好ましい。
【００１５】
このようにして作られた袋Ａは、束ねられてケースに収納されており、例えば、スーパーマーケットのレジカウンターで、ケースから必要枚数だけ取り出されて商品５とともに買い物客に手渡される。買い物客は手渡された袋Ａを開けて商品５を収容する。この時、袋Ａは底部４が折り畳まれた状態で重ね合わされた部分全体が一体となるように融着されているため、収納時でもこの部分は重ね合わされた状態が維持され、図１に示すように袋本体１の中央部分６は大きく広がるが、底部４はあたかも巾着絞りのように絞られた形となる。
【００１６】
このようにして商品５を袋Ａに収納して自宅に持ち帰る。そして、袋Ａから商品５を取り出し、袋Ａを空にする。空になった袋Ａは商品５を収納したため、折り畳み線７はほとんど消えた状態となっている。しかしながら、底部４は折り畳み状態で融着されているため、手提げ部３の方向がねじれないようにして重ね合わせ、一方の手で底部４を持ち或いは底部４の孔８ｃに指を掛け、他方の手で重ね合わされた手提げ部３を持ち或いは手提げ部３の孔３ｃに指を掛けて１から３回位引っ張ると、融着線３ｂ、８ｂ間がそのまま引っ張られて延び、自然と最初の折り畳み状態に戻る。そしてこの再折り畳み袋Ａをさらに細かく折り畳んで服のポケットに収納しておけば、次の買い物時に再利用することができる。
【００１７】
なお、融着線３ｂ，８ｂと溶断線３ａ，４ａとの間は非溶着としてもよいし、逆にこの間を溶着包袋としてもよい。また、融着線３ｂは、融着線８ｂを形成した後、袋本体１を開いて手提げ部３を広げ、該当部分を融着して形成してもよい。また、孔３ｃ、８ｃはなくてもよい。
【符号の説明】
【００１８】
Ａ：買い物袋、Ｂ：連続した薄膜筒状の二重のフィルム、Ｃ：袋の半製品、１：袋本体、２，２ａ，２ｂ：マチ部、３：手提げ部、３ａ：溶断線、３ｂ：融着線、３ｃ：孔、３ｄ：縁、３ｕ：打ち抜き部分、３ｍ手提げ部分、４：底部、４ａ：溶断線、４ｔ：中間部分、５：商品、６：袋の中央部分、７，７ａ，７ｂ，７ｃ：折り畳み線、８ａ：溶断線、８ｂ：融着線、８ｃ：孔、８ｄ：縁、９：舌片、１０ａ：隙間
【図１】
2013241202.tif 000003
【図２】
2013241202.tif 000004
【図３】
2013241202.tif 000005
【図４】
2013241202.tif 000006
【図５】
2013241202.tif 000007
【図６】
2013241202.tif 000008